(57)【要約】【課題】ファン装置の駆動に起因した対象装置の振動を確実に抑えることができるようにする。【解決手段】ネジＮが挿通される挿通孔６４１ａを備えたネジ座６４２と、ユニットフレーム６１からファン装置５０へ向けて突設され、当該ファン装置５０が係止される１つの係止突起６５と、ネジ座６４２に対応してファン装置５０のケーシング５１に形成され、かつ、ネジＮが挿通される挿通孔６４１ａが穿設されたネジ挿通部５０１と、係止突起６５に対応してファン装置５０のケーシング５１に形成され、かつ、係止突起６５が嵌入される挿通孔５１７が設けられた係止突起嵌入部５０２とを備えて構成されている。係止突起６５は、基端側に嵌入孔の嵌入が阻止される段差部６５１を有し、この段差部６５１は、ユニットフレーム６１（基準位置）からの突出量がネジ座６４２のユニットフレーム６１からの突出量より大きく設定されている。【選択図】図８
2008025530.tif 000002
【特許請求の範囲】
【請求項１】
箱型の筐体にファンが内装されてなるファン装置を所定のフレームに取り付けるためのファン装置の固定構造であって、
前記筐体の周縁部に形成された、ネジを挿通する少なくとも１つのネジ挿通部と、
前記ネジ挿通部に対応して前記フレームに形成された前記ネジを螺着するためのネジ座と、
前記ネジ挿通部に対して所定距離離間した位置に対応して前記フレームに形成された係止突起とを備えて構成され、
前記係止突起の前記筐体との当接面の方が前記ネジ座の前記ネジ挿通部との当接面よりも突出していることを特徴とするファン装置の固定構造。
【請求項２】
前記筐体には、前記係止突起に対応した位置に嵌入孔が設けられ、
前記係止突起は、前記嵌入孔に嵌入される先端部と、前記嵌入孔の周縁に当接される段差部とを備えることを特徴とする請求項１記載のファン装置の固定構造。
【請求項３】
前記ネジ挿通部の少なくとも１つは、前記嵌入孔に対して対角位置にあることを特徴とする請求項１または２記載のファン装置の固定構造。
【請求項４】
前記ネジ座および係止突起のいずれか一方または双方は、前記フレームの一部が切り起こしまたは押し起こしされることによって形成されていることを特徴とする請求項１乃至３のいずれかに記載のファン装置の固定構造。
【請求項５】
所定の画像情報に基づき画像を形成して被転写材にトナー像を転写する画像形成部と、前記トナー像の転写された被転写材に加熱による定着処理を施す定着部とを備えてなる画像形成装置であって、
請求項１乃至４のいずれかに記載のファン装置の固定構造が採用されていることを特徴とする画像形成装置。
【発明の詳細な説明】
【技術分野】
【０００１】
本発明は、例えば対象装置の冷却処理に適用されるファン装置を当該対象装置に固定するためのファン装置の固定構造およびこの構造が採用された画像形成装置に関するものである。
【背景技術】
【０００２】
従来、特許文献１および特許文献２に記載されているような冷却用のファン装置が知られている。これらのファン装置は、いずれも当該ファン装置が採用される対象装置として画像形成装置が挙げられている。画像形成装置が挙げられているのは、画像形成装置には、駆動モータやヒータ等の発熱源が各所に存在し、これらの発熱源により装置内の環境が高温環境になると内装された各種の精密部材が熱膨張したり、画像形成環境が変化したりして画像形成処理に対し悪影響を及ぼすため、装置内を冷却するための装置としてファン装置が採用されるのである。
【０００３】
ところで、画像形成装置は精密機器であり、ファン装置の駆動で当該ファン装置が振動すると、この振動によっても画像形成処理に悪影響を及ぼすため、特許文献１および２には、ファン装置の振動が画像形成装置へ伝わるのを防止したり、振動そのものの発生を抑え得るようになされたファン装置の固定構造が採用されている。
【０００４】
まず、特許文献１に記載のファン装置の固定構造は、ファン装置と当該ファン装置が固定される画像形成装置のフレームとの間に防振ゴムを介在させるというものである。防振ゴムをファン装置とフレームとの間に介在させることにより、ファン装置の振動が防振ゴムによって吸収され、これによって画像形成装置内の各種の部材が振動しなくなるため、これらが振動することにより画像形成処理に悪影響が及ぶという不都合が解消される。
【０００５】
また、特許文献２に記載のファン装置の固定構造は、ファン装置の固定対象である画像形成装置のフレームと一体のファンカバーの側壁に切り起こしによって形成した、ファンカバー内に没入する押圧部を設けるというものである。こうすることでファン装置をファンカバーに押し込むことにより、押圧部が弾性変形してその弾性力でファン装置を押圧するため、ファン装置のファンカバー内でのガタツキが有効に防止され、これによってファン装置のガタツキに起因した振動が抑制される。
【特許文献１】特開２０００−１４６２１９号公報
【特許文献２】特開平６−４１４０１２号公報
【発明の開示】
【発明が解決しようとする課題】
【０００６】
しかしながら、特許文献１に記載のファン装置の固定構造にあっては、ファン装置の振動を吸収させるべく当該ファン装置と画像形成装置のフレームとの間に防振ゴムが介設されるため、当該防振ゴムによって部品点数が増加するという問題点を有している。
【０００７】
また、特許文献２に記載のファン装置の固定構造にあっては、ファン装置を単にファンカバーの切り起こし片である押圧部の弾性変形による弾性力のみによってファンカバーに固定しているだけであるため、ファン装置の振動を確実に抑制するには及ぶべくもなく、結局、実用的にファン装置の振動を抑えることができないという問題点を有している。
【０００８】
本発明は、かかる状況に鑑みなされたものであって、低コストでありながらファン装置の駆動に起因した対象装置の振動を確実に抑えることができるファン装置の固定構造およびこの構造を採用した画像形成装置を提供することを目的としている。
【課題を解決するための手段】
【０００９】
請求項１記載の発明は、箱型の筐体にファンが内装されてなるファン装置を所定のフレームに取り付けるためのファン装置の固定構造であって、前記筐体の周縁部に形成された、ネジを挿通する少なくとも１つのネジ挿通部と、前記ネジ挿通部に対応して前記フレームに形成された前記ネジを螺着するためのネジ座と、前記ネジ挿通部に対して所定距離離間した位置に対応して前記フレームに形成された係止突起とを備えて構成され、前記係止突起の前記筐体との当接面の方が前記ネジ座の前記ネジ挿通部との当接面よりも突出していることを特徴とするものである。
【００１０】
かかる構成によれば、対象装置のフレームに設けられたネジ座にファン装置のネジ挿通部を対向させた状態で、ネジを当該ネジ挿通部を介してネジ座に螺着（ネジ座に直接螺着する場合およびナットを用いて螺着する場合の双方を含む）するとともに、筐体のネジ挿通部に対して所定距離離間した位置にフレームから突設された係止突起を対向させ、この状態でネジを締結することにより、ファン装置は対象装置に固定される。
【００１１】
そして、係止突起の前記筐体との当接面の方が前記ネジ座の前記ネジ挿通部との当接面よりも突出しているため、ファン装置がネジと係止突起とにより少なくとも２点支持された状態でネジの締結操作を継続していくことにより、ファン装置の筐体は、フレームのネジ座と係止突起の段差部との間でフレームに向けて凸に撓んだ状態で弾性変形する。そして、ファン装置は、筐体の全体的な弾性変形による弾性力で強力にフレームに固定された状態になるため、ファン装置がフレームに対してガタツクことはなく、従って、ファン装置の振動に起因して対象装置内が全体的に振動し、これによって対象装置の機能が損なわれるような不都合の発生が抑制される。
【００１２】
また、ファン装置とフレームとの間に防振ゴム等の防振材料を介在させるものではないため、その分部品コストの低減化に貢献する。
【００１３】
請求項２記載の発明は、請求項１記載の発明において、前記筐体には、前記係止突起に対応した位置に嵌入孔が設けられ、前記係止突起は、前記嵌入孔に嵌入される先端部と、前記嵌入孔の周縁に当接される段差部とを備えることを特徴とするものである。
【００１４】
かかる構成によれば、嵌入孔を係止突起の先端部に外嵌することにより、嵌入孔の周縁が係止突起の段差部に当接し、これによって嵌入孔のこれ以上の係止突起への嵌り込みが阻止される。従って、この状態でネジの締結操作を継続していくことにより、筐体は、フレームのネジ座と係止突起の段差部との間でフレームに向けて凸に撓んだ状態で弾性変形して確実にフレームに装着される。
【００１５】
このように、係止突起を嵌入孔に嵌入される先端部と、嵌入孔の周縁に当接される段差部とを備えて構成することにより、筐体のフレームに対する固定が１本のネジで行われている場合であっても、嵌入孔が係止突起の先端部に外嵌された筐体は、ネジ回りに回動することが確実に防止され、ファン装置のフレームに対する固定状態が安定する。
【００１６】
請求項３記載の発明は、請求項１または２記載の発明において、前記ネジ挿通部の少なくとも１つは、前記嵌入孔に対して対角位置にあることを特徴とするものである。
【００１７】
かかる構成によれば、ファン装置は、当該ファン装置を支持する力のバランスが良好な状態でフレームに固定される。
【００１８】
請求項４記載の発明は、請求項１乃至３のいずれかに記載の発明において、前記ネジ座および係止突起のいずれか一方または双方は、前記フレームの一部が切り起こしまたは押し起こしされることによって形成されていることを特徴とするものである。
【００１９】
かかる構成によれば、フレームにプレス処理を施すだけでネジ座および係止突起のいずれか一方または双方が形成されるため、別の部材をネジ止めや溶接止めを行うことでフレームにネジ座や係止突起を形成させる場合に比較し、製造コストが低減される。
【００２０】
請求項５記載の発明は、所定の画像情報に基づき画像を形成して被転写材にトナー像を転写する画像形成部と、前記トナー像の転写された被転写材に加熱による定着処理を施す定着部とを備えてなる画像形成装置であって、請求項１乃至４のいずれかに記載のファン装置の固定構造が採用されていることを特徴とする特徴とするものである。
【００２１】
かかる構成によれば、画像形成装置は、ファン装置の駆動で導入された外気により内部に冷却処理が施される。そして、ファン装置は、請求項１乃至４のいずれかに記載のファン装置の固定構造が採用されることで画像形成装置に装着されているため、その駆動によってもガタツクことはなく、ファン装置のガタツキに起因して画像形成処理が適正に行われなくなるような不都合の発生が有効に防止される。
【発明の効果】
【００２２】
請求項１記載の発明構成によれば、係止突起の筐体との当接面の方がネジ座のネジ挿通部との当接面よりこれらに取り付けられようとする前記筐体に向けて突出しているため、係止突起をファン装置が少なくともネジと係止突起とにより２点支持された状態でネジの締結操作を継続していくことにより、ファン装置の筐体をフレームのネジ座と係止突起の段差部との間でフレームに向けて凸に撓んだ状態で弾性変形させることができる。
【００２３】
そして、ファン装置は、筐体の全体的な弾性変形による弾性力で強力にフレームに固定された状態になるため、ファン装置がフレームに対してガタツクことはなく、従って、ファン装置の振動に起因して対象装置内が全体的に振動し、これによって対象装置の機能が損なわれるような不都合の発生を有効に抑制することができる。
【００２４】
また、ファン装置とフレームとの間に防振ゴム等の防振材料を介在させるものではないため、その分部品コストの低減化に貢献することができる。
【００２５】
請求項２記載の発明によれば、係止突起を嵌入孔に嵌入される先端部と、嵌入孔の周縁に当接される段差部とを備えて構成することにより、筐体のフレームに対する固定が１本のネジで行われている場合であっても、嵌入孔が係止突起の先端部に外嵌された筐体は、ネジ回りに回動することが確実に防止され、ファン装置のフレームに対する固定状態を安定させることができる。
【００２６】
請求項３記載の発明によれば、ネジ挿通部の少なくとも１つが嵌入孔に対して対角位置に設けられているため、ファン装置を、力のバランスが良好な状態でフレームに固定することができる。
【００２７】
請求項４記載の発明によれば、ネジ座および係止突起のいずれか一方または双方は、フレームの一部が切り起こしまたは押し起こしされることによって形成されているため、フレームにプレス処理を施すだけでネジ座や係止突起が形成され、従って、別の部材をネジ止めや溶接止めを行うことでフレームにネジ座や係止突起を形成させる場合に比較し製造コストの低減化に貢献することができる。
【００２８】
請求項５記載の発明によれば、画像形成装置を、ファン装置のガタツキに起因して画像形成処理が適正に行われなくなるような不都合が発生しないものにすることができる。
【発明を実施するための最良の形態】
【００２９】
図１は、本発明に係るファン装置の固定構造が使用されたプリンタの一実施形態を示す外観視の斜視図であり、図１（Ａ）は、メンテナンスリッドが閉止された状態、図１（Ｂ）は、メンテナンスリッドが開放された状態、図１（Ｃ）は、メンテナンスリッドが開放されてトナーコンテナが取り外された状態をそれぞれ示している。なお、図１において、Ｘ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００３０】
図１に示すように、プリンタ（画像形成装置（対象装置））１０は、カラー印刷が可能に構成されたものであり、外観視で略立方体状を呈したプリンタ本体１１内に画像形成処理用の後述する各種の部材が装着されることによって構成されている。前記プリンタ本体１１は、全体的に丸みを帯びた形状とされ、ユーザーに対して視覚的に優しく、かつ、コンパクトな印象を与え得るようにデザインされている。かかるプリンタ本体１１は、上面に排紙トレイ１６１が設けられ、ユーザーが対面する前面上部にメンテナンスリッド１１２が設けられ、このメンテナンスリッド１１２の下部に挿脱自在の用紙カセット１２１が配設され、これらによってユーザビリティを考慮した極めて使用し易いものになっている。
【００３１】
前記排紙トレイ１６１は、印刷処理が施された用紙Ｐを受けるものであり、プリンタ本体１１の上面後方で前方を向いて形成された排紙口１６２から排出される用紙Ｐを受け得るように前方に向かって円弧状で先上がりに傾斜した傾斜面によって形成されている。
【００３２】
前記メンテナンスリッド１１２は、普段は図１（Ａ）に示すように閉止され、トナーコンテナ３０の交換時に、図１（Ｂ）および図１（Ｃ）に示すように、開放されるようになっている。かかるメンテナンスリッド１１２は、プリンタ本体１１の一対の側板１１１の前方位置間で用紙カセット１２１より若干上方位置に架設された支持軸１２２ａ回りに回動自在に軸支され、当該支持軸１２２ａ回りに正逆回動することでプリンタ本体１１の前面開口１１０を閉止した閉止姿勢Ｓ１（図１（Ａ））と、プリンタ本体１１の前面開口１１０を開放した開放姿勢Ｓ２（図１（Ｂ）および図１（Ｃ））との間で姿勢変更可能になっている。
【００３３】
このようなメンテナンスリッド１１２には、前記支持軸１２２ａ回りに回動自在に軸支された手差しトレイ１２２が設けられている。この手差しトレイ１２２は、印刷用の用紙Ｐを手差しでプリンタ１０へ供給するときに使用されるものであり、メンテナンスリッド１１２が閉止姿勢Ｓ１（図１（Ａ）に実線で表示）に姿勢設定された状態で支持軸１２２ａ回りに時計方向に回動されることにより、図１（Ａ）に二点鎖線で示すように、当該メンテナンスリッド１１２から引き出されるようになっている。
【００３４】
前記トナーコンテナ３０は、ブラックトナーが充填されたブラック用コンテナ３０Ｋ、シアントナーが充填されたシアン用コンテナ３０Ｃ、レッドトナーが充填されたレッド用コンテナ３０Ｒおよびイエロートナーが充填されたイエロー用コンテナ３０Ｙの４種類が採用されている。かかるブラック〜イエロー用コンテナ３０Ｋ，３０Ｃ，３０Ｒ，３０Ｙは、プリンタ本体１１内で前面開口１１０に臨んで左から右へ向かってブラック用コンテナ３０Ｋ、シアン用コンテナ３０Ｃ、レッド用コンテナ３０Ｒおよびイエロー用コンテナ３０Ｙの順に並設されている。
【００３５】
従って、ユーザーは、メンテナンスリッド１１２を開放することにより、図１（Ｂ）に示すように、ブラック〜イエロー用コンテナ３０Ｋ，３０Ｃ，３０Ｒ，３０Ｙと対面することになる。この状態で交換のためにブラック〜イエロー用コンテナ３０Ｋ，３０Ｃ，３０Ｒ，３０Ｙをプリンタ本体１１内から取り除くと、図１（Ｃ）に示す状態になる。
【００３６】
前記用紙カセット１２１は、印刷用の用紙Ｐを貯留するためのものであり、プリンタ本体１１に対して挿脱可能に装着されている。図１に示す例では、用紙カセット１２１は２段で設けられているが、２段であることに限定されるものではなく、１段であってもよいし、３段以上であってもよい。
【００３７】
図２は、図１に示すプリンタ１０の内部構造の一実施形態を示す側面断面視の説明図である。なお、図２におけるＹによる方向表示は、図１の場合と同様（−Ｙ：前方、＋Ｙ：後方）である。図２に示すように、プリンタ１０は、用紙Ｐを後述する画像形成部１３へ送り込む給紙部１２と、この給紙部１２から送り込まれた用紙Ｐを搬送しながら当該用紙Ｐにトナー像を転写する画像形成部１３と、この画像形成部１３で用紙Ｐに転写されたトナー像に対し定着処理を施す定着部１４と、この定着部１４で定着処理の施された用紙Ｐの排出先を切り換える排出先切換え部１５と、印刷処理が完了した用紙Ｐを排出する排紙部１６とがプリンタ本体１１に装着されることによって構成されている。
【００３８】
前記給紙部１２は、プリンタ本体１１内の下部に挿脱自在に装着された複数枚の用紙Ｐが貯留可能な前記用紙カセット１２１と、用紙Ｐを手差しで給紙するときに用いられる前記手差しトレイ１２２とを備えて構成されている。
【００３９】
前記各用紙カセット１２１の前側上方位置にはピックアップローラ１２３がそれぞれ設けられ、このピックアップローラ１２３の駆動によって用紙カセット１２１に貯留されている用紙Ｐが１枚ずつピックアップされて画像形成部１３へ向けて送り出されるようになっている。
【００４０】
前記画像形成部１３は、周面に静電潜像およびこの静電潜像に沿ってトナー像が形成される左右方向（図２の紙面に直行する方向）に延びた軸心回りに回転可能な感光体ドラム１３１と、この感光体ドラム１３１の周面に帯電処理を施すことにより同周面に一様な電荷を形成させる帯電ローラ１３２と、この帯電ローラ１３２により一様な電荷の付与された感光体ドラム１３１の周面に画像情報に基づくレーザー光を照射することにより同周面に静電潜像を形成させる露光装置１３３と、この静電潜像の形成された感光体ドラム１３１の周面にトナーを供給することにより同周面にトナー像を形成させる回転式現像装置２０と、この回転式現像装置２０にトナーを供給するトナーコンテナ３０と、前記感光体ドラム１３１の周面に形成されたトナー像が転写される転写ベルト１３４と、感光体ドラム１３１上のトナー像を静電的に引き剥がして転写ベルト１３４の表面に転写させる一次転写ローラ１３５と、転写ベルト１３４上のトナー像を静電的に引き剥がして給紙部１２から送り込まれた用紙Ｐに転写させる二次転写ローラ１３６と、転写ベルト１３４へ転写後の感光体ドラム１３１の周面を清浄化処理するドラムクリーニング装置１３７と、用紙Ｐに対する転写処理後の転写ベルト１３４の表面に清浄化処理を施すベルトクリーニング装置１３８とを備えて構成されている。
【００４１】
前記帯電ローラ１３２は、図略の電源から印加された高圧電圧によって周面に所定の極性の電荷が形成されるようになっている。かかる帯電ローラ１３２の周面が感光体ドラム１３１の周面に当接されていることにより、感光体ドラム１３１の周面に一様な電荷が形成されるようになっている。
【００４２】
前記露光装置１３３は、前記帯電ローラ１３２によって一様に帯電された感光体ドラム１３１の周面に、図略のコンピュータ等から入力された画像データに基づくレーザー光を照射するものであり、このレーザー光の照射によって感光体ドラム１３１の周面に静電潜像が形成されるようになっている。かかる静電潜像に回転式現像装置２０からのトナーが供給されることにより、感光体ドラム１３１の周面にトナー像が形成され、このトナー像が周回している転写ベルト１３４に転写されるようになっている。
【００４３】
前記回転式現像装置２０は、側面視（図２の紙面に直行する方向からみた状態）で円形に形成された回転枠体２１と、この回転枠体２１に周方向で等ピッチに装着された４つの現像器２２とを備えて構成されている。前記回転枠体２１は、感光体ドラム１３１の後方位置で当該感光体ドラム１３１の軸心と平行に、かつ、略同一高さレベルで配設された枠体軸２１１回りに回転可能に軸支されている。かかる回転枠体２１は、枠体軸２１１から径方向に向けて突設された４枚の仕切板２１２によって周方向に均等に４区画に区分され、各区画に現像器２２が装着されている。
【００４４】
前記現像器２２は、ブラックトナーが充填されるブラック用現像器２２Ｋと、シアントナーが充填されるシアン用現像器２２Ｃと、レッドトナーが充填されるレッド用現像器２２Ｒと、イエロートナーが充填されるイエロー用現像器２２Ｙとの４種類が存在する。そして、感光体ドラム１３１の周面にイエロートナーでトナー像を形成させるときは、回転枠体２１の枠体軸２１１回りの回転によってイエロー用現像器２２Ｙが感光体ドラム１３１と対向する位置に設定され、この状態で感光体ドラム１３１が一周することによりその周面にイエローのトナー像を形成させるようになされている。このイエローのトナー像は、周回している転写ベルト１３４に直ちに転写される。
【００４５】
感光体ドラム１３１の周面にレッド、シアンおよびブラックのトナー像を形成されるときもイエローのときと同様であり、対象の色のトナーの充填された現像器２２が感光体ドラム１３１の周面と対向され、これによって転写ベルト１３４への転写処理によりトナー像が消滅した感光体ドラム１３１の周面には次の色のトナー像が順次転写されていくことになる。そして、転写ベルト１３４の周回と感光体ドラム１３１のトナー像形成動作とを適正に同期させることにより、転写ベルト１３４の表面には、カラー画像が形成されることになる。このカラー画像が給紙部１２から給紙された用紙Ｐに二次転写ローラ１３６の作用で転写されることにより用紙Ｐに対しカラー印刷が行われることになる。
【００４６】
なお、二次転写ローラ１３６の直上流側の位置にはレジストローラ対１２４が設けられ、給紙部１２から画像形成部１３へ送り込まれた用紙Ｐは、このレジストローラ対１２４によって搬送タイミングが調整されるようになされている。かかるレジストローラ対１２４による搬送タイミングのタイミング調整によって転写ベルト１３４上のカラー画像が用紙Ｐ上の適正な位置に転写されるようになっている。
【００４７】
前記転写ベルト１３４は、前記一次転写ローラ１３５と、この一次転写ローラ１３５の若干後方位置に設けられたアイドルローラ１３４ｃと、感光体ドラム１３１の下方の若干後方側に設けられた図略の駆動モータの駆動で駆動回転する駆動ローラ１３４ａと、感光体ドラム１３１の下方の前方位置で駆動ローラ１３４ａと対向配置された従動ローラ１３４ｂとに掛け回されている。前記従動ローラ１３４ｂは、コイルスプリング等の付勢部材１３４ｄの付勢力によって駆動ローラ１３４ａから離間する方向に向けて付勢され、これによって転写ベルト１３４の緊張状態が維持されるようになっている。そして、前記二次転写ローラ１３６は、駆動ローラ１３４ａの直下位置で転写ベルト１３４を介して当該駆動ローラ１３４ａと対向配置されている。
【００４８】
前記二次転写ローラ１３６には、転写ベルト１３４上のトナー画像を静電的に引き剥がすバイアス電圧が図略の電源から印加されている。従って、転写ベルト１３４と二次転写ローラ１３６との間を通過する用紙Ｐには、転写ベルト１３４のトナー画像が転写されることになる。
【００４９】
そして、駆動ローラ１３４ａとアイドルローラ１３４ｃとの間には、用紙Ｐに対する転写処理後の転写ベルト１３４の表面を清浄化処理するベルトクリーニング装置１３８が設けられ、このベルトクリーニング装置１３８によって清浄化処理が施された転写ベルト１３４は、次の転写処理を受けるために感光体ドラム１３１へ向かうことになる。
【００５０】
前記定着部１４は、画像形成部１３で用紙Ｐに転写された転写画像に定着処理を施すものであり、通電発熱体により加熱される定着ローラ１４１と、下部でこの定着ローラ１４１に対向配置され、周面が定着ローラ１４１の周面に押圧当接される加圧ローラ１４２とを備えて構成されている。そして、前記画像形成部１３で転写ベルト１３４により転写処理の施された用紙Ｐは、転写ベルト１３４と二次転写ローラ１３６とに挟持された状態で転写ベルト１３４の周回に誘導されて定着部１４に導入され、定着ローラ１４１と加圧ローラ１４２との間を通過するときの加熱によりトナー像が当該用紙Ｐに定着処理されるようになっている。
【００５１】
定着処理後の用紙Ｐは、第１排出ローラ対１４３の駆動により排紙搬送路１０１へ導出され、第２排出ローラ対１０２の順駆動で排紙搬送路１０１を上昇させられ、排紙口１６２を通ってプリンタ本体１１の頂部に設けられた排紙トレイ１６１へ排出されるようになっている。
【００５２】
前記排出先切換え部１５は、用紙Ｐに対して両面印刷を施す場合に利用されるものであり、片面の定着処理が完了して定着部１４から一旦排紙搬送路１０１へ送り出された用紙Ｐを表裏逆転させた状態で再度画像形成部１３へ返送するようになっている。かかる排出先切換え部１５は、排紙搬送路１０１の下端部に第１排出ローラ対１４３の下方のものと周面同士が互いに当接するように対向配置された返送ローラ１５１と、この返送ローラ１５１の下部から定着部１４の下を通ってレジストローラ対１２４の上流側（図２における右側）へ延びた返送搬送路１５２とを備えて構成されている。
【００５３】
そして、用紙Ｐに両面印刷を施すに際しては、片面印刷が完了した定着処理後の用紙Ｐを、その後端が第１排出ローラ対１４３を通過するまで排紙搬送路１０１へ導出し、引き続き第２排出ローラ対１０２を逆駆動させるようになされている。こうすることで片面印刷の完了した返送ローラ１５１の駆動に誘導されて返送搬送路１５２へ逆送され、この返送搬送路１５２を通って表裏が逆転した状態でレジストローラ対１２４へ向かわせられるため、以後、画像形成部１３において当該用紙Ｐの裏面側に印刷処理が施されることになる。
【００５４】
前記トナーコンテナ３０は、回転式現像装置２０のブラック用現像器２２Ｋ、シアン用現像器２２Ｃ、レッド用現像器２２Ｒおよびイエロー用現像器２２Ｙ（図１の（ロ））に対してそれぞれ各カラーのトナーを補給するべく当該各カラーのトナーを貯留するものであり、ブラック〜イエロー用現像器２２Ｋ，２２Ｃ，２２Ｒ，２２Ｙに対応して４台が採用されている。
【００５５】
これら４台のトナーコンテナ３０は、図１（Ｂ）および図１（Ｃ）に示すように、プリンタ本体１１内の前方の略中段位置に左右方向に延びるように設けられた台座１７の上に着脱可能に装着されている。かかる各トナーコンテナ３０と回転式現像装置２０との間には、トナーコンテナ３０内のトナーを各現像器２２へ送り込むためのトナー移送機構３１が設けられている。なお、トナー移送機構３１の詳細については説明を省略する。
【００５６】
そして、本実施形態においては、プリンタ１０内の立体フレーム４０にファン装置５０が装着され、このファン装置５０の駆動によるプリンタ本体１１内への外気の導入でプリンタ本体１１内に冷却処理を施し得るようにしている。
【００５７】
このようにされるのは、プリンタ本体１１内には各所に駆動モータが設けられているとともに、定着部１４には転写処理後の用紙Ｐに加熱による定着処理を施すべく発熱体が設けられている。これらの熱源によってプリンタ本体１１内は温度が上昇し易く、所定の温度を超えると画像形成処理に悪影響を与えるため、かかる悪影響を回避するべくプリンタ本体１１内にファン装置５０が設けられている。そして、プリンタ本体１１内の温度が予め設定された温度を超えるとファン装置５０が駆動されて外気を導入し、この外気にプリンタ本体１１内を貫流させることによりプリンタ１０に対し冷却処理を施すようになっている。
【００５８】
図３および図４は、プリンタ本体１１の骨格を構成する立体フレーム４０の一実施形態を示す斜視図であり、図３は、ファン装置５０が装着された駆動ユニット６０が立体フレーム４０に装着される直前の状態、図４は、駆動ユニット６０が立体フレーム４０に装着された状態をそれぞれ示している。なお、図３および図４におけるＸおよびＹによる方向表示は図１の場合と同様（Ｘは左右方向（−Ｘ：左方、＋Ｘ：右方）、Ｙは前後方向（−Ｙ：前方、＋Ｙ：後方））である。因みに、図３における紙面の左右方向とＸによる方向表示の左右方向とは逆になっている。
【００５９】
まず、図３に示すように、立体フレーム４０は、平面視で矩形状を呈する底板フレーム４１と、この底板フレーム４１の左右の縁部から立設された左右方向一対の側板フレーム４２と、これら一対の側板フレーム４２間に架設された立体フレーム４０内を上下に仕切る仕切フレーム４３と、一対の側板フレーム４２間の上部後方間に架設された前記排紙トレイ１６１を支持するトレイ支持フレーム４４と、このトレイ支持フレーム４４の上部後方における一対の側板フレーム４２間に架設された天板フレーム４５とを備えて構成されている。
【００６０】
そして、前記給紙部１２は、底板フレーム４１と仕切フレーム４３との間に形成され、前記画像形成部１３および定着部１４は、仕切フレーム４３の上部に形成され、排出先切換え部１５は、仕切フレーム４３を挟んでその上下に形成され、前記排紙部１６は、トレイ支持フレーム４４の上部に形成されている。このような立体フレーム４０に、駆動ユニット６０および各種の表装材が装着されることにより図４に二点鎖線で囲った図１に示すようなプリンタ１０が形成されている。
【００６１】
前記駆動ユニット６０は、前記側板フレーム４２より小さい略正方形状を呈するユニットフレーム（フレーム、基準位置）６１と、このユニットフレーム６１の上部に装着された用紙搬送用駆動モータ６２と、ユニットフレーム６１の下部に装着された用紙繰出用駆動モータ６３と、プリンタ本体１１内に外気を送り込んで冷却処理を施すファン装置５０とを備えている。かかる駆動ユニット６０は、図４に示すように、ユニットフレーム６１が右側の側板フレーム４２の前方部分にねじ止め等によって固定されることにより立体フレーム４０に装着されている。
【００６２】
そして、本実施形態においては、ファン装置５０およびユニットフレーム６１に本発明に係るファン装置の固定構造が適用されている。
【００６３】
ファン装置の固定構造を説明する前に、本実施形態で採用されているファン装置５０について説明する。図５は、ファン装置５０の一実施形態を示す斜視図であり、（Ａ）は、分解斜視図、（Ｂ）は、組み立て斜視図である。なお、図５におけるＸおよびＹによる方向表示は図１の場合と同様（Ｘは左右方向（−Ｘ：左方、＋Ｘ：右方）、Ｙは前後方向（−Ｙ：前方、＋Ｙ：後方））である。
【００６４】
図５に示すように、ファン装置５０は、正方形状の箱形のケーシング（筐体）５１と、このケーシング５１内に固定されるファンモータ５２と、このファンモータ５２の駆動で回転するファン５３とを備えている。
【００６５】
前記ケーシング５１は、硬質の合成樹脂材料によって形成された弾性変形可能な筐体である。かかるケーシング５１は、外観視で角筒状を呈し、かつ、内部に左右方向に延びる筒心を中心とした円筒状のファン装着空間５１２を有する周壁５１１と、この周壁５１１の右端部においてファン装着空間５１２の内周面から筒心に向かって突設された複数本（本実施形態では３本）の架設杆５１３にケーシング５１の筒心と同心で支持された円板５１４とを備えている。
【００６６】
前記円板５１４は、ファンモータ５２をケーシング５１に装着するためのものであり、ネジＮを通すための所定個数の貫通孔５１４ａが穿設されている。
【００６７】
また、前記周壁５１１の４つの角部には、それぞれ他より相当肉厚な肉厚部５１６が形成されている。各肉厚部５１６には、それぞれ左右方向に延びる挿通孔（嵌入孔）５１７が穿設されている。本実施形態においては、ケーシング５１における下部の前後の肉厚部５１６と、同挿通孔５１７とで本発明に係るネジ挿通部５０１が形成されているとともに、上部の前方の肉厚部５１６と挿通孔５１７とで本発明に係る係止突起嵌入部５０２が形成されている。
【００６８】
前記ファンモータ５２は、前記円板５１４と同一径寸法で、かつ、中心線が左右方向に延びるハウジング５２１を有している。このハウジング５２１の内周面にコイルが巻かれた固定子が形成されているとともに、ハウジング５２１の中心位置に駆動軸５２２が設けられ、この駆動軸５２２の周りにコイルが巻かれた複数の回転子が形成されている。前記駆動軸５２２は、ハウジング５２１の左端から外方に向かって突出され、この突出した部分に周方向等ピッチで複数のファン５３が装着されている。
【００６９】
ハウジング５２１の右面を閉止した円形板５２３には、前記円板５１４の貫通孔５１４ａに対応したネジ孔５２３ａが螺設され、円形板５２３を円板５１４に当接させた状態で、ネジＮを円板５１４の貫通孔５１４ａに差し通し、引き続きこのネジＮをネジ孔５２３ａに螺着して締結することにより、ファンモータ５２およびファン５３がケーシング５１内に装着されてファン装置５０が完成されるようになっている。
【００７０】
このようなファン装置５０は、前記駆動ユニット６０のユニットフレーム６１に装着される。以下、ファン装置５０が装着される相手方（駆動ユニット６０）の構造について説明する。図６および図７は、図３に示す駆動ユニット６０の部分拡大図であり、図６は、ファン装置５０がユニットフレーム６１に装着される直前の状態、図７は、ファン装置５０がユニットフレーム６１に装着された状態をそれぞれ示している。なお、図６および図７におけるＸおよびＹによる方向包持は図３の場合と同様（Ｘは左右方向（−Ｘ：左方、＋Ｘ：右方）、Ｙは前後方向（−Ｙ：前方、＋Ｙ：後方））である。
【００７１】
まず、図６に示すように、ユニットフレーム６１の上下方向の略中央部における後端位置には、ファン装置５０に対応した切欠き開口６１１が設けられている。この切欠き開口６１１の下縁部には、右方に向かって切り起こしで形成されたファン装置５０の下部を支持するためのファン支持体６４が設けられているとともに、切欠き開口６１１の上方前縁部には、押し起こしで右方に向かって突設された、ファン装置５０を係止するための係止突片６５突設されている。
【００７２】
前記ファン支持体６４は、切欠き開口６１１の下縁部から右方に向かって突設された脚部６４１と、この脚部６４１の先端から上方に向かって延設された前後方向に長尺のネジ座６４２とからなっている。前記ネジ座６４２には、前後の端部にファン装置５０のケーシング５１の下部に穿設された前後の挿通孔５１７に対応する挿通孔６４１ａがそれぞれ穿設されている。そして、これらの挿通孔５１７，６４１ａにネジＮを差し通した状態で当該ネジＮの先端にナットＮ１を螺着し締結することにより、ファン装置５０の下縁部がユニットフレーム６１のファン支持体６４に装着されるようになっている。
【００７３】
前記係止突起６５は、基端側に形成された段差部６５１と、この段差部６５１の先端から右方に向かって突設された先端部６５２とからなっている。前記段差部６５１は、ユニットフレーム６１の基準位置（本実施形態ではユニットフレーム６１は同一平面上に形成されて表面（右面）が面一になっているため、ユニットフレーム６１の表面は、いずれの位置も基準位置になっている。）からの突出量ｄ１が、ネジ座６４２の前記基準位置からの突出量ｄ２より若干大きめに設定され、これによって両者の間に突出量差ｄ（図８（Ａ））が生じている。
【００７４】
前記先端部６５２は、ファン装置５０のケーシング５１の前方上部の角部に形成された挿通孔５１７に嵌入し得るように寸法設定されている。
【００７５】
そして、ファン装置５０は、前方上部の挿通孔５１７（すなわち係止突起嵌入部５０２の挿通孔５１７）がユニットフレーム６１の係止突起６５に外嵌された状態で、下部の前後の挿通孔５１７にそれぞれネジＮが差し通され、さらにこれらのネジＮの先端がユニットフレーム６１のネジ座６４２の各挿通孔６４１ａに貫通された状態で、これらのネジＮの先端にナットＮ１を螺着して締結することにより、図７に示すように、ユニットフレーム６１に装着された状態になる。
【００７６】
図８は、本実施形態に係るファン装置の固定構造の作用を説明するための説明図であり、図８（Ａ）は、ファン装置５０のユニットフレーム６１に対するナットＮ１による締結が行われていない状態、図８（Ｂ）は、ファン装置５０のユニットフレーム６１に対するナットＮ１による締結が行われた状態をそれぞれ示している。なお、図８においては、段差部６５１のユニットフレーム６１からの突出量ｄ１と、ネジ座６４２のユニットフレーム６１からの突出量ｄ２との突出量差ｄ（ｄ＝ｄ１−ｄ２）については誇張して示している。
【００７７】
まず、図８（Ａ）に示すように、ファン装置５０が２本のネジＮを介してユニットフレーム６１に取り付けられ、かつ、ネジＮにナットＮ１が螺着されていない状態では、図８におけるファン装置５０の左側上部のネジ挿通部５０１の挿通孔５１７がユニットフレーム６１の先端部６５２に外嵌され、これによってファン装置５０のケーシング５１の挿通孔５１７周りの部分が係止突起６５の段差部６５１に当止した状態になっている。
【００７８】
一方、ファン装置５０の図８における右側は、ネジＮがケーシング５１の図８における右側下部の挿通孔５１７およびファン支持体６４のネジ座６４２の図８における右側の挿通孔６４１ａに挿通された状態でユニットフレーム６１へ向けて押されることにより、ネジ座６４２に当接した状態になり、これによってファン装置５０は、ユニットフレーム６１に対して斜めになっている。
【００７９】
この状態で２本のネジＮにナットＮ１をそれぞれ螺着して締結することにより、ケーシング５１の下部はユニットフレーム６１からの突出量がｄ２であるネジ座６４２に押圧当接した状態になる。これに対し、ケーシング５１の図８における左上部は、ユニットフレーム６１からの突出量ｄ１が前記突出量ｄ２よりｄだけ多い係止突起６５の段差部６５１に当止することによってこれ以上ネジ座６４２の方向へ向かうことができない。従って、ケーシング５１は、図８（Ｂ）に示すように、先端部６５２に当止している位置が最大限ユニットフレーム６１から離間した状態で全体に円弧状に弾性変形する。
【００８０】
そして、ファン装置５０は、このケーシング５１の弾性変形による弾性力でネジ座６４２および係止突起６５に圧接した状態になるため、当該ファン装置５０のガタツキが確実に防止される。従って、ファン装置５０の駆動によるガタツキに起因した振動が発生することはなく、ファン装置５０の駆動に起因した振動がプリンタ１０の画像形成処理に悪影響を与えるような不都合の発生が有効に防止される。
【００８１】
以上詳述したように、本実施形態に係るファン装置の固定構造は、当該プリンタ１０の立体フレーム４０に一体的に装着される駆動ユニット６０のユニットフレーム６１に設けられた、ネジＮが挿通される挿通孔６４１ａを備えたネジ座６４２と、ユニットフレーム６１からファン装置５０へ向けて突設され、かつ、当該ファン装置５０が係止される１つの係止突起６５と、ネジ座６４２に対応してファン装置５０のケーシング５１に形成され、かつ、ネジＮが挿通される挿通孔６４１ａが穿設されたネジ挿通部５０１と、係止突起６５に対応してファン装置５０のケーシング５１に形成され、かつ、係止突起６５が嵌入される嵌入孔（本実施形態では図６に示す上部前方の挿通孔５１７）が設けられた係止突起嵌入部５０２とを備えて構成されている。
【００８２】
そして、係止突起６５は、基端側に嵌入孔の嵌入が阻止される段差部６５１を有し、段差部６５１は、ユニットフレーム６１の基準位置（本実施形態ではユニットフレーム６１）からの突出量がネジ座６４２の基準位置からの突出量より大きく設定されている。
【００８３】
このように構成されたファン装置５０の固定構造によれば、ユニットフレーム６１に設けられたネジ座６４２にファン装置５０のネジ挿通部５０１を対向させた状態で、ネジＮを当該ネジ挿通部５０１の挿通孔５１７に通してナットＮ１でネジ座６４２に螺着するとともに、ユニットフレーム６１から突設された係止突起６５にファン装置５０の係止突起嵌入部５０２に設けられた嵌入孔（挿通孔５１７）を嵌め込み、この状態でネジＮにナットＮ１を螺着して締結することにより、ファン装置５０は、３点がユニットフレーム６１に支持された状態でユニットフレーム６１に固定される。
【００８４】
そして、係止突起６５は、基端側に嵌入孔の嵌入が阻止される段差部６５１を有し、この段差部６５１は、ユニットフレーム６１（基準位置）からの突出量がネジ座６４２のユニットフレーム６１からの突出量より大きく設定されているため、ネジＮの先端にナットＮ１を螺着しての締結することにより、ファン装置５０のケーシング５１は、ユニットフレーム６１のネジ座６４２と係止突起６５の段差部６５１との間でユニットフレーム６１に向けて凸に撓んだ状態で弾性変形する。
【００８５】
そして、ファン装置５０は、ケーシング５１の全体的な弾性変形による弾性力で強力にユニットフレーム６１に固定された状態になるため、ファン装置５０がユニットフレーム６１に対してガタツクことはなく、従って、ファン装置５０の振動に起因して対象装置内が全体的に振動し、これによって対象装置の機能が損なわれるような不都合の発生を抑制することができる。
【００８６】
また、ファン装置５０とユニットフレーム６１との間に防振ゴム等の防振材料を介設させるものではないため、その分部品コストの低減化に貢献することができる。
【００８７】
そして、係止突起６５は、ユニットフレーム６１の一部が切り起こしされることによって形成されているため、ユニットフレーム６１にプレス処理を施すだけで係止突起６５が形成される。従って、係止突起６５を形成するために別の部材をネジ止めや溶接止めでユニットフレーム６１に固定する場合に比較し、製造コストの低減化を達成することができる。
【００８８】
本発明は上記の実施形態に限定されるものではなく、以下の内容をも包含するものである。
【００８９】
（１）上記の実施形態においては、本発明に係るファン装置の固定構造が適用される対象装置として画像形成装置（上記の実施形態ではプリンタ１０）を例に挙げて説明したが、本発明は、対象装置が画像形成装置であることに限定されるものではなく、冷却用や雰囲気攪拌用としてファン装置が採用される各種の機器、例えば、冷蔵庫やテレビジョンセット、さらにはオーディオセットやコンピュータ等にも適用可能である。
【００９０】
（２）上記の実施形態においては、ファン装置の固定構造が採用される画像形成装置としてプリンタ１０を例に挙げて説明したが、本発明は、画像形成装置がプリンタ１０であることに限定されるものではなく、複写機やファクシミリ装置であってもよい。
【００９１】
（３）上記の実施形態においては、ファン装置５０は、そのケーシング５１およびユニットフレーム６１にネジＮを貫通してその先端にナットＮ１を螺着することによってユニットフレーム６１に固定されるようになされているが、こうするかわりにユニットフレーム６１のネジＮが挿通される挿通孔６４１ａをネジ孔とすることにより、ナットＮ１を用いなくてもこのネジ孔にくネジＮを螺着して締結することによりファン装置５０をユニットフレーム６１に固定することができ、ナットＮ１が不要な分部品点数の低減化に寄与することができる。
【００９２】
（４）上記の実施形態においては、係止突起６５が段差部６５１と先端部６５２とから構成されているが、本発明は、係止突起６５を段差部６５１と先端部６５２とから構成することに限定されるものではなく、特に先端部６５２を設けずに段差部６５１のみとしてもよい。この場合には、ファン装置５０のケーシング５１に挿通孔５１７を設けなくてもよい。こうすることによって、ケーシング５１がネジＮによりネジ座６４２を介してユニットフレーム６１に締結された状態で、ネジ座６４２と対角位置にあるケーシング５１の肉厚部５１６が当該ケーシング５１の弾性変形により係止突起６５の先端面に押圧当止された状態になるため、ファン装置５０は、安定した状態でユニットフレーム６１に装着されることになる。
【００９３】
（５）上記の実施形態においては、ケーシング５１は、正方形状のいわゆる角型のものが採用されているが、本発明は、ケーシング５１が角型であることに限定されるものではなく、各種の形状（円型、多角型、楕円型あるいはその他の異形）のものを採用することができる。この場合、ユニットフレーム６１に対向する面が略面一状態であることが好ましい。
【００９４】
（６）図９は、ファン装置の固定構造の他の実施形態を示す斜視図であり、図９（Ａ）は、ファン装置５０がユニットフレーム６１に固定される直前の状態、図９（Ｂ）は、ファン装置５０がユニットフレーム６１に固定された状態をそれぞれ示している。この実施形態においては、ユニットフレーム６１に形成される係止突起６５については先の実施形態と同一であるが、ファン支持体６４については、ネジ座６４２が脚部６４１の図９における右端部にだけしか設けられていない（図９（Ａ）参照）。
【００９５】
従って、ファン装置５０がユニットフレーム６１に固定された状態では、図９（Ｂ）に示すように、ファン装置５０のケーシング５１の対角線上の一方の角部（図９（Ｂ）における右下の角部）がネジＮによりユニットフレーム６１に固定されているとともに、対角線上の他方の角部（図９（Ｂ）における左上の角部）が係止突起６５によって固定された状態になり（すなわち、ネジ挿通部５０１の１つが挿通孔（嵌入孔）５１７に対して対角位置に位置した状態になり）、これによってファン装置５０は、偏りのない状態で２点のみによりユニットフレーム６１に安定的に固定されている。
【００９６】
このような固定構造によれば、ネジＮを１本で済ませることが可能であり、ファン装置５０のユニットフレーム６１に対する確実な固定状態を確保した上で、部品点数の低減化に貢献することができる。
【図面の簡単な説明】
【００９７】
【図１】本発明に係るファン装置の固定構造が使用されたプリンタの一実施形態を示す外観視の斜視図であり、（Ａ）は、メンテナンスリッドが閉止された状態、（Ｂ）は、メンテナンスリッドが開放された状態、（Ｃ）は、メンテナンスリッドが開放されてトナーコンテナが取り外された状態をそれぞれ示している。
【図２】図１に示すプリンタ１０の内部構造の一実施形態を示す側面断面視の説明図である。
【図３】プリンタ本体の骨格を構成する立体フレームの一実施形態を示す斜視図であり、ファン装置が装着された駆動ユニットが立体フレームに装着される直前の状態示している。
【図４】プリンタ本体の骨格を構成する立体フレーム一実施形態を示す斜視図であり、駆動ユニットが立体フレームに装着された状態を示している。
【図５】ファン装置の一実施形態を示す斜視図であり、（Ａ）は、分解斜視図、（Ｂ）は、組み立て斜視図である。
【図６】図３に示す駆動ユニットの部分拡大図であり、ファン装置がユニットフレームに装着される直前の状態を示している。
【図７】図３に示す駆動ユニットの部分拡大図であり、ファン装置がユニットフレームに装着された状態を示している。
【図８】本実施形態に係るファン装置の固定構造の作用を説明するための説明図であり、（Ａ）は、ファン装置のユニットフレームに対するナットによる締結が行われていない状態、（Ｂ）は、ファン装置のユニットフレームに対するナットによる締結が行われた状態をそれぞれ示している。
【図９】ファン装置の固定構造の他の実施形態を示す斜視図であり、図９（Ａ）は、ファン装置がユニットフレームに固定される直前の状態、図９（Ｂ）は、ファン装置がユニットフレームに固定された状態をそれぞれ示している。
【符号の説明】
【００９８】
１０  プリンタ（画像形成装置（対象装置））
１０１  排紙搬送路          １０２  排出ローラ対
１１  プリンタ本体          １１０  前面開口
１１１  側板                １１２  メンテナンスリッド
１２  給紙部                １２１  用紙カセット
１２２  手差しトレイ        １２２ａ  支持軸
１２３  ピックアップローラ  １２４  レジストローラ対
１３  画像形成部            １３１  感光体ドラム
１３２  帯電ローラ          １３３  露光装置
１３４  転写ベルト          １３４ａ  駆動ローラ
１３４ｂ  従動ローラ        １３４ｃ  アイドルローラ
１３４ｄ  付勢部材          １３５  一次転写ローラ
１３６  二次転写ローラ      １３７  ドラムクリーニング装置
１３８  ベルトクリーニング装置
１４  定着部                １４１  定着ローラ
１４２  加圧ローラ          １４３  排出ローラ対
１５  排出先切換え部        １５１  返送ローラ
１５２  返送搬送路          １６  排紙部
１６１  排紙トレイ          １６２  排紙口
１７  台座                  ２０  回転式現像装置
２１  回転枠体              ２１１  枠体軸
２１２  仕切板              ２２  現像器
２２Ｃ  シアン用現像器      ２２Ｋ  ブラック用現像器
２２Ｒ  レッド用現像器      ２２Ｙ  イエロー用現像器
３０  トナーコンテナ
３０Ｃ  シアン用コンテナ    ３０Ｋ  ブラック用コンテナ
３０Ｒ  レッド用コンテナ    ３０Ｙ  イエロー用コンテナ
３１  トナー移送機構        ４０  立体フレーム
４１  底板フレーム          ４２  側板フレーム
４３  仕切フレーム          ４４  トレイ支持フレーム
４５  天板フレーム          ５０  ファン装置
５０１  ネジ挿通部          ５０２  係止突起嵌入部
５１  ケーシング（筐体）    ５１１  周壁
５１２  ファン装着空間      ５１３  架設杆
５１４  円板                ５１４ａ  貫通孔
５１６  肉厚部              ５１７  挿通孔
５２  ファンモータ          ５２１  ハウジング
５２２  駆動軸              ５２３  円形板
５２３ａ  ネジ孔            ５３  ファン
６０  駆動ユニット          ６１  ユニットフレーム（フレーム、基準位置）
６１１  切欠き開口          ６２  用紙搬送用駆動モータ
６３  用紙繰出用駆動モータ  ６４  ファン支持体
６４１  脚部                ６４１ａ  挿通孔
６４２  ネジ座              ６５  係止突起
６５１  段差部              ６５２  先端部
Ｎ  ネジ                    Ｎ１  ナット
Ｐ  用紙（被転写材）        Ｓ１  閉止姿勢
Ｓ２  開放姿勢              ｄ  突出量差
ｄ１  段差部のユニットフレームからの突出量
ｄ２  ネジ座のユニットフレームからの突出量
【図１】
2008025530.tif 000003
【図２】
2008025530.tif 000004
【図３】
2008025530.tif 000005
【図４】
2008025530.tif 000006
【図５】
2008025530.tif 000007
【図６】
2008025530.tif 000008
【図７】
2008025530.tif 000009
【図８】
2008025530.tif 000010
【図９】
2008025530.tif 000011